(57)【特許請求の範囲】
【請求項１】
電話番号の全桁を入力するステップ；
これによって入力された電話番号から該当先を検索するステップ；
これによって所望の該当先が検索されなかったときに、前記全桁が入力された電話番号のうちの特定の桁を指定するステップ；
これによって指定された桁を除く他の桁の番号に基づいて該当先を検索するステップ；
これによって検索された該当先を表示して所望のものを選択するステップ；
を備えたことを特徴とする電話番号検索方法。
【請求項２】
多数の電話番号と、それらの各該当先の情報を格納した記憶手段；
全桁が入力された電話番号のうちの特定の桁を指定する桁指定手段；
この桁指定手段によって指定された桁を除く他の桁の番号の該当先を、前記記憶手段を参照して検索する検索手段；
これによって検索された該当先から所望のものを選択する選択手段；
を備えたことを特徴とする電話番号検索装置。
【請求項３】
多数の電話番号と、それらの各該当先の情報を格納した記憶手段；
全桁が入力された電話番号の該当先を、前記記憶手段を参照して検索する第１の検索手段；
この第１の検索手段によって所望の該当先が検索されなかったときに、前記全桁が入力された電話番号のうちの特定の桁を指定する桁指定手段；
この桁指定手段によって指定された桁を除く他の桁の番号の該当先を、前記記憶手段を参照して検索する第２の検索手段；
これによって検索された該当先から所望のものを選択する選択手段；
電話番号及び該当先を表示する表示手段；
を備えたことを特徴とする電話番号検索装置。
【請求項４】
請求項２又は３記載の電話番号検索装置を備えたことを特徴とするナビゲーション装置。
【発明の詳細な説明】
【０００１】
【発明の属する技術分野】
本発明は、電話番号を入力して該当先を検索する電話番号検索技術に関し、例えばナビゲーション装置における目的地設定に好適な電話番号検索方法及び装置に関するものである。
【０００２】
【背景技術】
例えば車両用のナビゲーション装置では、経路探索における目的の設定に電話番号などが利用されている。図１２には、ナビゲーション装置におけるメニューの一例が示されている。この例では、最上位の階層の項目Ｍ1に「目的を設定する」というメニューが用意されている。そして、メニュー項目「目的地を設定する」の下位階層メニュー項目Ｍ12として、「自宅」，「電話番号から探す」，「住所から探す」，「ジャンルから探す」，……が用意されている。更に、メニュー項目「ジャンルから探す」の下位階層メニュー項目Ｍ123に、「飲食店」，「ゴルフ場」，……となっている。他のメニュー項目についても同様である。
【０００３】
経路探索において、「電話番号から探す」というメニューをユーザが選択すると、目的地の電話番号の入力画面が表示される。そして、ユーザが所望の目的地の電話番号を入力すると該当先が検索され、これを目的地として経路探索が行なわれるという具合である。
【０００４】
【発明が解決しようとする課題】
従来、上述したような電話番号入力において、ユーザが電話番号を正確に覚えている場合にはよいが、例え一桁でも不正確であれば、該当先を検索することができないか、誤った施設を検索してしまうことになる。この場合、ユーザは、不明確な桁の番号を変更するか、あるいは電話番号の全桁を入力し直すなどの動作を行なわなければならない。
【０００５】
この発明は、以上の点に着目したもので、不明確な桁があっても該当先を検索することができる電話番号検索方法及び装置，そのナビゲーション装置を提供することを、その目的とするものである。
【０００６】
【課題を解決するための手段】
前記目的を達成するため、本発明の電話番号検索方法は、電話番号の全桁を入力するステップ；これによって入力された電話番号から該当先を検索するステップ；これによって所望の該当先が検索されなかったときに、前記全桁が入力された電話番号のうちの特定の桁を指定するステップ；これによって指定された桁を除く他の桁の番号に基づいて該当先を検索するステップ；これによって検索された該当先を表示して所望のものを選択するステップ；を備えたことを特徴とする。
【０００７】
本発明の電話番号検索装置は、多数の電話番号と、それらの各該当先の情報を格納した記憶手段；全桁が入力された電話番号のうちの特定の桁を指定する桁指定手段；この桁指定手段によって指定された桁を除く他の桁の番号の該当先を、前記記憶手段を参照して検索する検索手段；これによって検索された該当先から所望のものを選択する選択手段；を備えたことを特徴とする。
【０００８】
他の発明は、多数の電話番号と、それらの各該当先の情報を格納した記憶手段；全桁が入力された電話番号の該当先を、前記記憶手段を参照して検索する第１の検索手段；この第１の検索手段によって所望の該当先が検索されなかったときに、前記全桁が入力された電話番号のうちの特定の桁を指定する桁指定手段；この桁指定手段によって指定された桁を除く他の桁の番号の該当先を、前記記憶手段を参照して検索する第２の検索手段；これによって検索された該当先から所望のものを選択する選択手段；電話番号及び該当先を表示する表示手段；を備えたことを特徴とする。
【０００９】
本発明のナビゲーション装置は、前記いずれかの電話番号検索装置を備えたことを特徴とする。本発明の前記及び他の目的，特徴，利点は、以下の詳細な説明及び添付図面から明瞭になろう。
【００１０】
【発明の実施の形態】
以下、本発明の実施の形態について詳細に説明する。図２には、本実施形態にかかるナビゲーション装置の外観が示されている。同図に示すように、本形態のナビゲーション装置は、比較的小型で機能も簡易化されており、表示画面が狭いいわゆるＴbyＴタイプのナビゲーション装置である。まず、装置全体の大きさは、例えばダッシュボードに取り付ける機器の規格の１DINサイズ程度となっている。前面には、ディスプレイ１０，操作キー１２〜１６，スピーカ１８，テンキー１９，ジョイスティック２０が設けられている。ディスプレイ１０には、必要に応じて入力装置の一つとしてタッチパネル２１が設けられる。
【００１１】
これらのうち、ディスプレイ１０は、例えば白黒表示の液晶パネルによってナビゲーション装置と一体に構成されており、例えば縦×横が１２８ドット×２５６ドット（又は６４ドット×１２８ドット），３８mm×７２mm程度の大きさとなっている。操作キー１２〜１６は、必要最小限のもののみとなっており、本例では、メニュー表示を行うためのキースイッチである「メニュー」，車両現在位置を含む地域の地図を表示するためのキースイッチである「現在地」，直前に表示されていた画面に表示を戻すためのキースイッチである「戻る」の三つが設けられている。スピーカ１８は、音声によるナビゲーションを行うために設けられている。テンキー１９は、電話番号などの数字を入力するためのものである。ジョイスティック２０は、表示画面上におけるカーソルの移動などを行うための入力装置である。スティック２０を軸方向に押圧することで確定入力を行うことが可能となっている。タッチパネル２１は、ディスプレイ１０上に表示されたキー入力などを行う入力装置である。
【００１２】
更に、一般的なナビゲーション装置では、地図などのナビゲーションデータは、記憶情報が機械的な読み取り装置を介して読み取られるＣＤ−ＲＯＭやＤＶＤ−ＲＯＭなどの動的記憶手段に格納されている。しかし、本形態の装置では、記憶情報が電気的に読み取られる静的記憶手段にナビゲーションデータが格納されている。静的記憶手段としては、例えば、ＲＯＭ，ＥＰＲＯＭ，フラッシュメモリ，メモリスティック，ＩＣカード，ＲＡＭなどが該当する。これらは、ナビゲーション装置本体に内蔵されたものであっても、ナビゲーション装置本体に着脱できるようなメモリカードなどのカード形式のものであってもよい。これら静的記憶手段には、例えば約１００［km］四方のナビゲーションデータが格納される。
【００１３】
図１には、上述した外観のナビゲーション装置の構成が示されている。同図において、上述したディスプレイ１０は、ＣＰＵを中心に構成されている演算部３０の画面管理部３２によってその表示が管理されている。また、操作キー１２〜１６，テンキー１９，ジョイスティック２０及びタッチパネル２１は入力管理部３４に接続されており、これによって入力が管理されている。更に、前記スピーカ１８は音声出力回路３６を介して音声出力管理部３８に接続されており、これによってスピーカ１８の音声出力が管理されている。
【００１４】
車両位置を測定するＧＰＳセンサ４０，車両の走行距離を測定する距離センサ４２，車両の進行方位を測定する方位センサ４４は、現在位置認識部４６に接続されている。ＧＰＳセンサ４０によってＧＰＳ航法による位置計測が行われ、距離センサ４２及び方位センサ４４によって自立航法による位置計測が行われる構成となっている。
【００１５】
地図データ，各階層のメニュー項目を表示，選択等するためのメニューデータ，電話番号などの目的地検索用データなどのナビゲーションに必要な各種のデータは、メモリカードなどによって構成されたデータ記憶部４８に格納されている。データ記憶部４８は、画面管理部３２，音声出力管理部３８，地図データ読み込み部５０及び電話番号管理部６１に接続されている。上述した現在位置認識部４６と地図データ読み込み部５０は、地図管理部５２に接続されている。画面管理部３２及び地図管理部５２には、地図の描画処理を行うための地図描画部５４が接続されている。そして、前記画面管理部３２，入力管理部３４，音声出力管理部３８，地図管理部５２，電話番号管理部６１は、経路演算部５６及び経路案内部５８とともに全体管理部６０に接続されている。経路演算部５６は、経路探索の演算を行う機能を備えており、経路案内部５８は、経路案内のための処理を行う機能を備えている。更に、電話番号管理部６１は、電話番号に基づく施設検索を行う機能を備えている。
【００１６】
次に、本形態の動作について説明する。ユーザが電源投入後に装置前面のメニューキー１２をオンとすると、ディスプレイ１０上に図１２に示したようなメニューが表示される。すなわち、メニューキー１２をユーザがオンとすると、これが入力管理部３４によって検知され、その旨が全体管理部６０に通知される。全体管理部６０では、画面管理部３２に対して予め用意されているメニューデータをデータ記憶部４８から読み込むように指示する。なお、電源投入後は、キー操作の有無にかかわらず、メニューを表示するようにしてもよい。
【００１７】
次に、画面管理部３２は、データ記憶部４８を参照し、ディスプレイ１０にメニュー表示を行う。最初は、階層Ｍ1の項目である「目的地を設定する」，「各種設定をする」，……が表示される。ここで、ユーザがジョイスティック２０を操作し、例えば「目的地を設定する」を選択したとすると、これが入力管理部３４によって検知され、その旨が全体管理部６０に通知される。全体管理部６０では、画面管理部３２に対して該当する項目の階層に含まれる下位項目を表示するように指示する。これにより、ディスプレイ１０には、次の階層Ｍ12に含まれている「自宅」，「電話番号から探す」，「住所から探す」，「５０音から探す」，「メモリ地点から探す」，……の各メニュー項目が順に表示される。
【００１８】
この状態でユーザがジョイスティック２０を操作して「電話番号から探す」を選択すると、図３〜図６に示す電話番号入力処理が行なわれる（ステップＳ１０）。「電話番号から探す」の選択は入力管理部３４によって検知され、その旨が全体管理部６０に通知される。全体管理部６０では、画面管理部３２に対して予め用意されている電話番号入力画面をデータ記憶部４８から読み込むように指示する。これにより、ディスプレイ１０には、図７（Ａ）に示すような市外局番の入力画面が表示される（ステップＳ１２）。この入力画面では、入力をユーザに促すため、電話番号の表示領域が点滅している。
【００１９】
ユーザは、テンキー１９によって、所望する該当先の電話番号の市外局番を入力する（ステップＳ１４）。すると、上述したようにして、入力された番号がディスプレイ１０に表示される（ステップＳ１６）。また、電話番号の入力は、全体管理部６０から電話番号管理部６１にも通知される。電話番号管理部６１では、先頭桁から入力された桁の番号に該当する市外地域がデータ記憶部４８を参照して検索される（ステップＳ１８）。そして、入力桁で特定された市外地域が所定数以下であれば（ステップＳ２０のYes）、それらの市外地域名が画面管理部３２に通知され、ディスプレイ１０に表示される（ステップＳ２２）。
【００２０】
なお、本形態のように、ディスプレイ１０が比較的狭い場合には、ある程度表示項目数が少ないほうが画面のスクロールを行なう手間が省けて便利である。そこで、本形態では、ある程度表示項目数を絞ってから表示することとしている。
【００２１】
市外局番は「０」から始まるので、数字の「０」は予め入力されている。すなわち、番号入力前のディスプレイ１０の表示は、図７（Ａ）のようになる。もちろん、「０」から入力するようにしてもよい。ユーザが数字の「１」を入力したとすると、ディスプレイ１０の表示は、図７（Ｂ）のようになる。すなわち、入力された番号「１」が「０」に続いて表示されるとともに、「０１」に該当する市外地域が検索され、該当する「北海道，青森県，秋田県，岩手県」が表示される。次に、ユーザが「７」を入力すると、ディスプレイ１０の表示は図７（Ｃ）のようになる。すなわち、入力された番号「７」が「０１」に続いて表示されるとともに、「０１７」に該当する市外地域が検索され、該当する「青森県，秋田県」が表示される。以上の動作は、電話番号の入力桁に該当する市外地域が一つに特定されるまで繰り返し行われる（ステップＳ２４のYes）。
【００２２】
なお、「北海道，青森県，秋田県，岩手県」が表示された段階で、これらの中のいずれか一つをユーザによって選択させ、選択された都道府県名に対応する電話番号を自動的に入力するようにしてもよい。例えば、図７（Ｂ）の画面において、ユーザがジョイスティックなどにより「青森県」を選択したとすると、電話番号の入力欄に「０１７」を表示するという具合である。このようにすることで、番号入力の簡素化を図ることが可能となる。
【００２３】
次に、市外地域が一つに特定されると（ステップＳ２４のNo）、その旨が電話番号管理部６１から画面管理部３２に通知される。すると、画面管理部３２では、データ記憶部４８が参照され、市内局番の入力画面が読み込まれてディスプレイ１０に表示される（ステップＳ２６）。ユーザは、上述した市外局番の場合と同様にして電話番号を一桁入力する（ステップＳ２８）。すると、上述したようにして、入力された番号がディスプレイ１０に表示される（ステップＳ３０）。
【００２４】
また、電話番号の入力は、全体管理部６０から電話番号管理部６１にも通知される。電話番号管理部６１では、入力された桁までの番号に該当する市内地域がデータ記憶部４８を参照して検索される（ステップＳ３２）。そして、入力桁で特定された市内地域が所定数以下であれば（ステップＳ３４のYes）、それらの市内地域名が画面管理部３２に通知され、ディスプレイ１０に表示される（ステップＳ３６）。以上の動作は、市外局番に続く四桁の登録番号を含めた全桁が入力されるまで繰り返し行われる（ステップＳ３８のNo）。
【００２５】
図７に示した例において、ユーザが市内局番としてまず数字の「２」を入力したとすると、ディスプレイ１０の表示は、図８（Ａ）のようになる。すなわち、入力された番号「２」が「０１７」に続いて表示されるとともに、「０１７２」に該当する市内地域が検索され、該当する「青森県」の「黒石市，弘前市？」が表示される。
【００２６】
なお、市内や市外の局番に相当する区域と、都道府県や市区町村などの行政区域は必ずしも一致していない。前記市外局番「０１７２」の場合は、青森県の弘前市や黒石市の他に、中津軽郡や南津軽郡の町村も該当する。そこで、そのような地域の不一致を表すため、図８（Ａ）では弘前市の次に「？」を表示している。
【００２７】
次に、ユーザが数字の「３」を入力し更に「３」を入力したとすると、ディスプレイ１０の表示は、図８（Ｂ）のようになる。すなわち、入力された番号「３３」が「０１７２」に続いて表示されるとともに、「０１７２３３」に該当する市内地域が検索され、該当する「青森県，弘前市」が表示される。この時点で市内地域が確定するので、「？」の表示が消える。続いて、ユーザが登録番号「９０００」を入力すると、ディスプレイ１０の表示は図８（Ｃ）のようになる。すなわち、入力された番号「９０００」が「０１７２−３３−」に続いて表示される。この時点で、市外局番，市内局番，登録番号の間にハイフン「−」も表示される。
【００２８】
以上のようにして、電話番号の全桁が入力されると（ステップＳ３８のYes）、その旨が電話番号管理部６１から画面管理部３２に通知される。すると、画面管理部３２では、データ記憶部４８が参照され、電話番号検索中画面が読み込まれて、ディスプレイ１０に表示される（ステップＳ４０）。一方、電話番号管理部６１では、データ記憶部４８を参照して、入力された電話番号に対応する施設名称（登録目的地）が検索される（ステップＳ４２）。そして、該当施設名称が検索されたときは（ステップＳ４４のYes）、その施設名称が画面管理部３２に通知され、ディスプレイ１０に表示される（ステップＳ４６）。ユーザにより、表示されている施設が経路探索の目的地として設定された場合には（ステップＳ４８のYes）、該当施設を目的地として経路探索が行われるとともに、探索された経路に従った案内処理が行われる（ステップＳ５０）。
【００２９】
上述した図８の例における電話番号検索中画面は、例えば図９（Ａ）のようになる。すなわち、入力された電話番号「０１７２−３３−９０００」と、該当する施設が「青森県弘前市周辺」であることが表示される。また、「電話番号検索中」の表示が点滅などの方法で強調される。そして、検索が終了すると、図９（Ｂ）に示すように、該当する施設名称「青森ヤング株式会社」が表示される。ユーザは、この表示名称を確認し、所望する行き先であれば、これを目的地として設定する。
【００３０】
一方、施設名称を検索した結果、該当する施設が存在しなかった場合は（ステップＳ４４のNo）、その旨が表示される（ステップＳ５２）。例えば、「該当施設はありません」とディスプレイ１０に表示される。この表示の一例を示すと、図９（Ｃ）のようになる。なお、該当施設が検索できない場合でも、電話番号からおおよその住所を検索することができるので、図示の例では「青森県弘前市旭ヶ丘１丁目付近」の表示が行なわれている。
【００３１】
このように、該当先が表示されないときは、ユーザは、入力した電話番号のうち、特定の桁，例えば不明確な桁をジョイスティック２０やタッチパネル２１を使用して選択する（ステップＳ５４）。すると、その旨が全体管理部６０から電話番号管理部６１に通知され、電話番号管理部６１では、選択された桁の数字をカーソル表示する旨を画面管理部３２に通知する。そして、画面管理部３２によって選択桁のカーソル表示が行なわれる（ステップＳ５６）。例えば、図９（Ｃ）の例において最下桁をユーザが選択したとすると、図１０（Ａ）に示すような表示となる。
【００３２】
記憶があいまいで不明確な桁が他にあるときは、上述した動作を繰り返し行なう（ステップＳ５８のYes）。桁の選択が終了すると（ステップＳ５８のNo）、ユーザは、例えばジョイスティック２０を押すなどの方法で確定入力を行なう（ステップＳ６０）。すると、これが上述したようにして電話番号管理部６１に通知される。電話番号管理部６１では、データ記憶部４８が参照され、前記選択桁を除く他の桁の番号が同じ電話番号が検索される（ステップＳ６２）。
【００３３】
検索結果は、例えば番号順あるいはアウイエオ順のいずれの表示とするかのユーザ選択に基づいて（ステップＳ６４）、ディスプレイ１０に表示される（ステップＳ６６，Ｓ６８）。なお、この表示順序の選択は、他にアルファベット順など必要に応じて適宜変更してよい。現在位置認識部４６で得られる現在位置情報を利用し、現在位置に近い順序で表示することも可能である。
【００３４】
図１０（Ｂ）には、アイウエオ順表示の一例が示されている。この例は、下２桁が不明確な場合であり、「０１７２−３３−９９＊＊」に該当する電話番号が検索される。画面上部には、「青森県弘前市近辺  ０１７２−３３−９９＊＊のリストです」と表示され、その下に該当先のリストが表示される。図示の例では、あ行に「相川法律事務所」があり、その下２桁は「７３」である。え行には、下２桁が「９９」の「遠藤商会」と、下２桁が「２３」の「えんがわ」がある。サ行には、下２桁が「２７」の「三角野郎」がある。この例では、画面に該当先を全部表示することができないので、三角矢印によってスクロールできる表示となっている。
【００３５】
図１０（Ｃ）には、番号順表示の一例が示されている。この例では、下２桁が「０１」の「鈴木信用金庫」，下２桁が「０２」の「渡辺貿易」の順に表示されている。下２桁が「０３」，「０４」は該当先がないので、「該当無し」と表示されている。なお、画面上で表示順序を切り換えられるようにしてもよい。
【００３６】
次に、ユーザは、上述した表示画面のリストを参照し、ジョイスティック２０やタッチパネル２１を操作して、所望の目的地を選択する（ステップＳ７０）。この選択結果は、入力管理部３４で検出され、全体管理部６０を介して電話番号管理部６１に通知される。電話番号管理部６１では、選択された施設の詳細情報をデータ記憶部４８から読み出し、画面管理部３２に伝達する。これにより、選択された施設の詳細がディスプレイ１０に表示される（ステップＳ７２）。ユーザがこれを目的地として設定すると（ステップＳ４８のYes）、それが全体管理部６０によって経路演算部５６に伝達される。経路演算部５６では、設定された目的地と、現在位置認識部４６で認識された車両の現在位置に基づいて経路探索の演算処理が行なわれる。そして、経路案内部５８により、探索された経路に従った案内処理が実行される。
【００３７】
詳述すると、時々刻々と変化する車両の現在位置は、ＧＰＳセンサ４０，距離センサ４２，方位センサ４４による検知結果に基づいて現在位置認識部４６で認識される。認識された現在位置の情報は、地図管理部５２に送られる。地図管理部５２は、地図データ読み込み部５０に対して、現在位置に対応する地図データを順次データ記憶部４８から読み込むように指令する。これによって読み込まれた地図データは、地図描画部５４に送られるとともに、その旨が全体管理部６０に通知される。すると、全体管理部６０は、画面管理部３２に地図表示を指令し、地図描画部５４で描画された地図がディスプレイ１０に車両現在位置とともに表示される。
【００３８】
また、画面管理部３２は、車両現在位置に対応する表示用の案内データを、データ記憶部４８から読み出してディスプレイ１０に表示する。また、音声出力管理部３８は、車両現在位置に対応する音声用の案内データを、データ記憶部４８から読み出して音声出力回路３６に供給し、スピーカ１８による音声案内を行う。すなわち、車両が右左折する交差点などの案内を開始する案内地点に達すると、右左折の方向を示す案内がディスプレイ１０に表示されるとともに、音声出力管理部３８，音声出力回路３６及びスピーカ１８によって、その旨の音声案内が行われる。
【００３９】
このように、本実施形態によれば、ユーザによる電話番号入力に基づいて検索された施設が所望のものでない場合、あるいは該当先がない場合には、桁を特定して検索が行なわれる。検索結果は、施設のリストとして表示される。ユーザは、このリストを参照して所望の施設を選択する。このため、電話番号中に不明確な桁があっても、該当する施設を検索し、経路探索の目的地として設定することができる。更に本実施形態において、電話番号の各桁が入力される毎に、該当する地域名称の候補を一画面に表示させるようにしたので、ユーザは、正しい番号が入力されているか否かを逐次確認しつつ入力作業を続行できる。
【００４０】
本発明には数多くの実施形態があり、以上の開示に基づいて多様に改変することが可能である。例えば、次のようなものも含まれる。
（１）前記実施形態では、メニュー画面に従って電話番号入力を行ったが、テンキー１９から数字の「０」が入力された場合は、自動的に図７（Ａ）に示した電話番号入力画面が表示されるようにしてもよい（図３ステップＳ１０の括弧書き参照）。これは、電話番号の市外局番が「０」から始まるため、電話番号を入力するときは必ず「０」から入力を開始する入力手順を利用したものである。
【００４１】
（２）前記形態では、電話番号入力を市外局番から行なったが、市内局番や下４桁の登録局番から入力するようにしてもよい。特に、案内範囲が狭い簡易なナビゲーション装置のような場合は、データ記憶部４８に格納されている電話帳の件数も少ない。例えば、愛知県を中心とする範囲に限られるという具合である。このような場合は、市内局番から入力しても、該当する電話番号が少ないため、十分に有効な検索が可能である。図１１には、市内局番から入力した場合の表示例が示されている。この例は、ナビゲーション装置が愛知県を中心とする電話番号データを保持しており、市内局番として「３」が入力された場合である。該当地域とともに、市外局番も表示される。このように、市内局番から入力する方法によれば、いずれの市外局番の地域を走行中であっても、ユーザは市外局番を意識することなく該当先を選択することができる。
【００４２】
（３）全国版のデータを有するナビゲーション装置では、相当数の市外地域が検索される可能性がある。すると、相当の時間を費やさないと、それらの中から所望のものを選択することができなくなってしまう。しかし、本形態のように、所有するデータが限定されている簡易型のナビゲーション装置の場合は、そのようなおそれがない。
【００４３】
（４）前記実施形態は、本発明を車両用のナビゲーション装置に適用した例であるが、携帯用のナビゲーション装置などにも適用可能である。また、電話番号から施設を検索して表示する電話番号検索装置として使用してもよい。また、前形態のように１００［km］四方のような限定された地域の電話番号データに限らず、例えば日本全国の電話番号データを有している場合であっても、本発明の電話番号検索方法及びその装置を適用することを妨げるものではない。
【００４４】
【発明の効果】
以上説明したように、本発明によれば、電話番号の全桁を入力して検索しても所望の該当先が検索されなかったときには、特定の桁を指定し、これを除いた他の桁の番号を利用して該当先を検索することとしたので、電話番号中に不明確な桁があっても、該当先を知ることができるという効果が得られる。
【図面の簡単な説明】
【図１】本発明の一実施形態の構成を示すブロック図である。
【図２】前記形態のナビゲーション装置の外観を示す斜視図である。
【図３】前記形態における電話番号入力処理ルーチンを示すフローチャートである。
【図４】前記形態における電話番号入力処理ルーチンを示すフローチャートである。
【図５】前記形態における電話番号入力処理ルーチンを示すフローチャートである。
【図６】前記形態における電話番号入力処理ルーチンを示すフローチャートである。
【図７】前記電話番号入力処理におけるディスプレイの表示例を示す図である。
【図８】前記電話番号入力処理におけるディスプレイの表示例を示す図である。
【図９】前記電話番号入力処理におけるディスプレイの表示例を示す図である。
【図１０】前記電話番号入力処理におけるディスプレイの表示例を示す図である。
【図１１】前記電話番号入力処理における他のディスプレイの表示例を示す図である。
【図１２】ナビゲーション装置におけるメニュー構成の一例を示す図である。
【符号の説明】
１０…ディスプレイ
１２〜１６…操作キー
１２…メニューキー
１８…スピーカ
１９…テンキー
２０…ジョイスティック
２１…タッチパネル
３０…演算部
３２…画面管理部
３４…入力管理部
３６…音声出力回路
３８…音声出力管理部
４０…センサ
４２…距離センサ
４４…方位センサ
４６…現在位置認識部
４８…データ記憶部
４８…順次データ記憶部
５０…地図データ読み込み部
５２…地図管理部
５４…地図描画部
５６…経路演算部
５８…経路案内部
６０…全体管理部
６１…電話番号管理部
【図１】
0004174914.tif 000002
【図２】
0004174914.tif 000003
【図３】
0004174914.tif 000004
【図４】
0004174914.tif 000005
【図５】
0004174914.tif 000006
【図６】
0004174914.tif 000007
【図７】
0004174914.tif 000008
【図８】
0004174914.tif 000009
【図９】
0004174914.tif 000010
【図１０】
0004174914.tif 000011
【図１１】
0004174914.tif 000012
【図１２】
0004174914.tif 000013